(57)【要約】【課題】信頼性のある生体検査を行うことが可能な眼光刺激装置を提供する。【解決手段】照明光源１１からの赤外光が、被検眼前眼部１ｂとほぼ共役な位置に配置されたリングスリット１６を介して被検眼眼底１ａに照射される。また、刺激光光源５１からの刺激光と、背景光光源４３からの背景光は、被検眼前眼部とほぼ共役な位置に配置された撮影絞り３１を介して被検眼眼底に照射される。このような構成では、背景光は前眼部を中心にして四方に広がるような形で眼底に照射されるので、刺激光の照射位置を中心に眼底全体を均一に照明でき、正確な局所ＥＲＧ検査を行うことができる。また、背景光と刺激光は瞳孔の中心部を介して眼底に照射されるので、瞳孔径が多少小さくなってもケラレが生じることはなく、それぞれの光量を瞳孔径に因らず一定に保つことができ、信頼性の高い局所ＥＲＧ検査を行うことが可能となる。  【選択図】図１
2010240177.tif 000002
【特許請求の範囲】
【請求項１】
被検眼眼底に眼底観察光を照射して眼底観察を行うとともに、眼底に背景光及び刺激光を照射し、刺激光により網膜を局所的に光刺激して網膜からの生体電気信号により生体検査を行う眼光刺激装置であって、
被検眼前眼部とほぼ共役な位置に配置されたリングスリットと、
被検眼前眼部とほぼ共役な位置に配置された撮影絞りと、を有し、
前記眼底観察光はリングスリットを介して被検眼眼底に照射され、前記刺激光と前記背景光は撮影絞りを介して被検眼眼底に照射されることを特徴とする眼光刺激装置。
【請求項２】
前記背景光を発光する背景光光源は、被検眼の位置を固定するための内部固視灯と共通とされるか、または並列位置に配置されることを特徴とする請求項１に記載の眼光刺激装置。
【請求項３】
前記背景光光源は電圧を印加することにより可視光を発光するパネルであり、該パネル内に電圧を印加することにより背景光と異なる色となる視標が表示され、この視標が内部固視灯として用いられることを特徴とする請求項２に記載の眼光刺激装置。
【請求項４】
前記背景光を発光する背景光光源は、刺激光を発光する刺激光光源と同じユニットに取り付けられ、刺激光光源の移動と共に背景光光源も移動することを特徴とする請求項１に記載の眼光刺激装置。
【請求項５】
刺激光光源は、被検眼を刺激するための可視光成分と、刺激光の位置を観察するための赤外光成分と、を含むことを特徴とする請求項４に記載の眼光刺激装置。
【請求項６】
前記刺激光光源の移動と共に背景光光源も移動する連動機構を備え、前記連動機構による連動状態と、連動機構を不能にして非連動状態とする切り換えが可能であることを特徴とする請求項４又は５に記載の眼光刺激装置。
【請求項７】
前記背景光光源は第１の光源と第２の光源とを選択して使用するように構成されており、前記第１の光源は刺激光光源の移動と連動するように構成されており、第２の光源は位置が固定されていることを特徴とする請求項６に記載の眼光刺激装置。
【請求項８】
前記背景光光源と刺激光光源との連動／非連動は、内部固視灯位置及び／又は刺激光の位置及び／又は刺激光のサイズによって自動的に切り換えられることを特徴とする請求項６又は７に記載の眼光刺激装置。
【請求項９】
前記視野絞りは、視野絞りの開口周辺部にリング状の赤外カット可視透過部を形成してなる視野絞りであり、該赤外カット可視透過部により眼底から入射する赤外光がカットされ、可視光の背景光は眼底に向けて透過されることを特徴とする請求項１、４又は５のいずれか１項に記載の眼光刺激装置。
【発明の詳細な説明】
【技術分野】
【０００１】
本発明は、眼光刺激装置、更に詳細には、被検眼眼底に眼底観察光を照射して眼底観察を行うとともに、眼底に背景光及び刺激光を照射し、刺激光により網膜を局所的に光刺激して網膜からの生体電気信号により生体検査を行う眼光刺激装置に関する。
【背景技術】
【０００２】
従来、主に、眼科検査として、眼底像を撮影して眼底検査を行うだけでなく、網膜に刺激光を照射して網膜に発生する活動電位を測定し網膜電位図（ＥＲＧ：Electro Retino Gram）を作成して眼科生理学的な検査を行う光刺激網膜検査（ＥＲＧ検査）が知られている。
【０００３】
ＥＲＧ検査では、刺激光として可視光が眼底に照射され、このとき刺激光が照射される背景を照明する背景光が必要となり、この背景光の強度と刺激光の強度の適正な組み合わせがＥＲＧ検査の良否を左右する。眼底の黄斑部点に局所的に刺激光を照射してＥＲＧ検査を行うとき（局所ＥＲＧ）には、背景光が可視光として眼底に照射される。
【０００４】
この背景光は、例えば、対物レンズと穴あきミラーの間からハーフミラーを介して眼底に投影される（非特許文献１）。
【０００５】
また、下記特許文献１の構成では、観察光学系に配置された白色発光ダイオードを用いて白色光で眼底を照射し、これを背景として高輝度発光ダイオードからのスポット光を刺激光として照射し、赤外光で眼底を観察しながら局所ＥＲＧ検査を行っている。
【０００６】
また、下記特許文献２の構成では、ワーキングディスタンス用の光源が局所ＥＲＧ検査用の背景光用の光源としても利用され、この光源からの可視光が眼底に背景光として投影される。
【先行技術文献】
【特許文献】
【０００７】
【特許文献１】特開２００６−４２９５２号公報
【特許文献２】ＷＯ２００８／１１１１６６Ａ１
【非特許文献】
【０００８】
【非特許文献１】日本眼科学会雑誌第８５巻第１０号（昭和５６年１０月１０日、９−（１５２１）から１９−（１５３１））
【発明の概要】
【発明が解決しようとする課題】
【０００９】
しかしながら、これまでの局所ＥＲＧ検査では、照明系から、あるいは撮影絞りの外側の有効径を使用して背景光を照射していたので、被検眼瞳孔径によって背景光の眼底への照射量が変わったため、それが測定の誤差の要因となっており、正確な局所ＥＲＧ検査が困難になっている。
【００１０】
本発明は、このような問題点を解決するためになされたもので、信頼性のある生体検査を行うことが可能な眼光刺激装置を提供することを課題とする。
【課題を解決するための手段】
【００１１】
本発明は、
被検眼眼底に眼底観察光を照射して眼底観察を行うとともに、眼底に背景光及び刺激光を照射し、刺激光により網膜を局所的に光刺激して網膜からの生体電気信号により生体検査を行う眼光刺激装置であって、
被検眼前眼部とほぼ共役な位置に配置されたリングスリットと、
被検眼前眼部とほぼ共役な位置に配置された撮影絞りと、を有し、
前記眼底観察光はリングスリットを介して被検眼眼底に照射され、前記刺激光と前記背景光は撮影絞りを介して被検眼眼底に照射されることを特徴とする。
【発明の効果】
【００１２】
このような構成では、背景光は被検眼前眼部と共役な位置に配置された撮影絞りを介して眼底に照射される。したがって、背景光は前眼部を中心にして四方に広がるような形で眼底に照射され、刺激光の照射位置を中心に眼底全体を均一に照明することができ、刺激光による散乱光の影響をキャンセルして正確な局所ＥＲＧ検査を行うことができる。
【００１３】
また、眼底観察光は、被検眼前眼部と共役な位置に配置されたリングスリットを介して眼底に照射される。したがって眼底観察光は瞳孔部周辺部から眼底に照射されるので、被検眼の瞳孔径が小さい場合、眼底観察光はケラレが生じて照明光量が変動するが、眼底観察光は赤外光なので、ＥＲＧ測定には何ら影響がでない。一方、背景光と刺激光は瞳孔の中心部を介して眼底に照射されるので、瞳孔径が多少小さくなってもケラレが生じることはなく、それぞれの光量を瞳孔径に因らず一定に保つことができ、信頼性の高い局所ＥＲＧ検査を行うことが可能となる。  
【図面の簡単な説明】
【００１４】
【図１】本発明の第１実施例による眼光刺激装置の全体構成を概略示す構成図である。
【図２】眼底を照明する照明光源の配列を示す説明図である。
【図３】背景光光源として使用される液晶板の構成を示す説明図である。
【図４】本発明の第２実施例による眼光刺激装置の全体構成を概略示す構成図である。
【図５】第２の実施例における背景光光源の構成を示す説明図である。
【図６】（ａ）は第２実施例において使用される視野絞りの平面図、（ｂ）はその断面図である。
【図７】本発明の第３実施例による眼光刺激装置の全体構成を概略示す構成図である。
【図８】第３実施例において使用されるダイクロイックミラーの反射、透過特性を示す説明図である。
【図９】本発明の第４実施例による眼光刺激装置の全体構成を概略示す構成図である。
【図１０】第４実施例において使用される背景光光源としての発光パネルの構成を示した説明図である。
【発明を実施するための形態】
【００１５】
以下、図面に示す実施例に基づいて本発明を詳細に説明する。
【実施例１】
【００１６】
図１には、光刺激部本体１０と刺激光光源ユニット５０から構成される光刺激装置からなる眼科検査装置が図示されている。なお、図１において、Ｒは被検眼１の眼底１ａと共役な位置を、Ｐはその前眼部１ｂ（特に瞳）と共役な位置を示している。
【００１７】
光刺激部本体１０には、被検眼の眼底を照明する照明光学系と、照明された眼底を観察し、刺激光、背景光を投影する観察／投影光学系が設けられる。照明光学系において、照明光源１１が配置される。この照明光源１１は、図２に図示したように、赤外光を発光するＬＥＤ（発光ダイオード）１１ａを複数個基板１１ｂに配置して構成される。
【００１８】
照明光源１１からの赤外光は、拡散板１５に入射して拡散され、被検眼１の前眼部（瞳）１ｂと共役な位置Ｐに配置されたリングスリット１６を照明する。このリングスリット１６からの照明光は、レンズ１７、対物レンズ２２の反射を除去するための黒点板１８、ハーフミラー１９、リレーレンズ２０を通過し、中心に穴の開いた穴あき全反射ミラー２１で反射されてから対物レンズ２２を通して、被検眼１の前眼部１ｂより眼底１ａに入射し、眼底１ａを赤外光で照明する。
【００１９】
眼底１ａからの反射光は、対物レンズ２２を介して受光され、穴あき全反射ミラー２１の穴を通過して前眼部共役位置Ｐに配置された撮影絞り（開口絞り）３１、フォーカスレンズ３２、結像レンズ３３を通過して、ハーフミラー３４で反射され、眼底共役位置Ｒに配置された視野絞り３５を介してハーフミラー３６に入射する。ハーフミラー３６を透過した赤外光は、ミラー３８で反射され、結像レンズ３７を通過して赤外光並びに可視光領域に感度を有する赤外ＣＣＤなどで構成される眼底共役位置Ｒに配置された撮像装置４０に入射され、モニタ４１にその信号が入力される。
【００２０】
対物レンズ２２から撮影絞り３１、フォーカスレンズ３２、結像レンズ３３、視野絞り３５などは観察／投影光学系を構成している。
【００２１】
光刺激部本体１０には、可視光を発光する発光ダイオードなどで構成される刺激光光源５１を内蔵した刺激光光源ユニット５０が取り付けられる。刺激光光源５１は、レバー５７により投影光軸２６´に垂直なｘｙ面内で移動可能となっている。
【００２２】
また、刺激光光源ユニット５０には、複数の互いに径の異なる開口を形成した指標円板６０が眼底共役位置に回転可能に配置され、レバー６２又はモータ６３によりいずれかの開口を刺激光光源５１並びに拡散板５８に対向させる位置に指標円板６０を回転させることにより、刺激光のスポット径を変化させることができる。
【００２３】
刺激光光源５１は、ジョイスティック４６に設けられたスイッチ４６ａが操作されると、制御部８４により点灯されて、レンズ７０を介して拡散板５８に照射されて拡散され、選択された指標円板６０の開口で所定のスポットサイズにされる。変倍レンズ４７ａ（４７ｂ）を通過した刺激光のうち、ハーフミラー３６で分割され反射した可視光束は、ミラー３４、レンズ３３、３２、視野絞り３１、穴あき全反射ミラー２１の穴、並びに対物レンズ２２などの投影光学系を介して被検眼の瞳１ｂから眼底１ａに刺激光として投影される。
【００２４】
ＥＲＧ検査には、刺激光のほかに、可視光の背景光が眼底に投影される。この背景光の光源として液晶（ＬＣＤ）板４３が使用され、その中心が光軸２６に合わせてハーフミラー３４の背後に配置される。
【００２５】
液晶板４３は、図３に示したように、不透明な矩形の板４３ｂの中央に円形の液晶パネル４３ａを配置して構成され、給電されると液晶パネル４３ａが弱白色光（可視光）を発光する。液晶パネル４３ａからの背景光は、ハーフミラー３４、結像レンズ３３、フォーカスレンズ３２、撮影絞り３１、対物レンズ２２を介して眼底１ａに照射される。液晶パネル４３ａの中心と撮影絞り３１の中心は光軸２６と一致するように配置されており、また、撮影絞り３１は前眼部共役位置Ｐに配置されているので、被検眼１が図１に示したように、アライメントされているときには、液晶パネル４３ａからの背景光は前眼部（瞳）１ｂの中心を経て放射状に広がって眼底１ａに照射される。
【００２６】
この液晶板４３を内部固視灯としても利用できるようにするために、液晶で構成された複数（図３では４個）の固視視標４３ｃが液晶パネル４３ａ内に表示される。この固視視標４３ｃは所定の電圧を印加すると白色と異なる色、例えば黒点となり、検者は被検者に黒点となった固視視標４３ｃを注視させることによりアライメントや合焦操作を確実にすることができる。
【００２７】
被検眼１には、ＥＲＧ電極８６が取り付けられ、この電極からの信号が表示装置８１並びに記録装置８２を備えた制御コンピュータ（パソコン）８０に入力され、そこで網膜電位図が作成され、表示装置８１に表示されたり、記録装置８２に格納される。
【００２８】
刺激光光源５１による投影指標（刺激光）が照射される位置及び／またはそのサイズをモニタ４１に表示できるようにするために、ハーフミラー３６で分割され透過した刺激光からの可視光束が、ミラー９１、レンズ９４´、プリズム９２、並びに赤外透過可視反射ミラー９３を介してミラー３８で反射され、撮像装置４０に入射される。
【００２９】
ハーフミラー３６により分割され反射した刺激光光源５１からの可視光が結像レンズ３３の表面で反射されて反射光として戻り、撮像装置４０に入射されるのを防止するために、ハーフミラー３６と赤外透過可視反射ミラー９３間に赤外光を透過し可視光を反射するフィルタ９０が挿入される。この場合、フィルタ９０は赤外透過特性を有するので、赤外の眼底観察光はこのフィルタ９０でカットされることなく、撮像装置４０に入射される。
【００３０】
一方、アライメントのために、ワーキングディスタンス用の光源９４（以下、ＷＤ光源という）が設けられ、このＷＤ光源９４は、赤外発光ダイオードから構成され、その光束は光ファイバ９５を介して穴あき全反射ミラー２１の穴の中心近辺に導かれワーキングディスタンス指標を形成する。このワーキングディスタンス指標は、対物レンズ２２により被検眼１の角膜に投影され、被検眼１の角膜で正反射された光束がほぼアフォーカルになるように、ワーキングディスタンスの調節が行われる。
【００３１】
なお、照明光学系には、赤外発光ダイオードで構成されるフォーカスドット光源３０（以下、ＦＤ光源という）が設けられ、この光源３０からの赤外光がハーフミラー１９を介して眼底１ａに入射され、フォーカスレンズ３２の移動に応じてフォーカスドット位置が変化するので、検者はフォーカスドットを観察することにより被検眼にピントを合わせることができる。
【００３２】
また、アライメントの初期段階では、前眼部観察レンズ４２が対物レンズ２２の被検眼とは反対側に挿入され、前眼部１ｂが、拡散板６６で拡散された前眼部照明光源６５からの赤外光で照明される。検者は被検眼１の前眼部１ｂの画像をモニタ４１で確認し、前眼部の画像に基づいてアライメントを行うことができる。また、アライメントや合焦操作のときは、上述した固視視標４３ｃが点灯され、検者は被検者にこの固視灯を注視させることによりアライメントや合焦操作を確実にすることができる。
【００３３】
コンピュータ（制御部）８０は、局所ＥＲＧ検査を行うために、種々の測定条件を設定できる。測定条件としては、液晶板４３から得られる背景光の強度（光量）、刺激光光源５１からの刺激光の強度（光量）、背景光並びに刺激光の波長成分、刺激光のスポット径（指標円板６０の開口位置）、刺激光の照射時間（点灯時間）、刺激光の照射回数、刺激光の点滅周期、固視視標の位置（いずれの固視視標４３ｃが点灯されるか）、それに各種光源１１、６５、３０、９４、４３のオンオフなどである。
【００３４】
もちろん、コンピュータ８０で行う制御をすべて本体１０内の制御部８４で行うように、ハード構成してもよいし、またその逆に、本体内の制御部８４で行う制御をすべて本体１０外のコンピュータ８０で行うようにシステムを構成することもできる。これらの役割分担は任意に定めることができる設計事項である。
【００３５】
また、本実施例では、光刺激装置とコンピュータ８０を中継し、コンピュータ８０で設定された測定条件と、網膜刺激を同期させるために、中継部８３が設けられている。この中継部８３は光刺激装置内に設けるようにしてもよいし、コンピュータ８０に兼用させることもできる。
【００３６】
以下に、このように構成された眼光刺激装置で、局所ＥＲＧ検査を行う流れを説明する。
【００３７】
まず、液晶板４３の固視視標４３ｃのうちいずれかが点灯され、被検者はこの固視視標を注視する。また、前眼部照明光源６５が点灯され、被検眼の前眼部１ｂが赤外光で照明され、検者は前眼部の像をモニタ４１で観察して前眼部アライメントを行う。
【００３８】
続いて、前眼部観察レンズ４２が光路から離脱され、前眼部照明光源６５が消灯され、照明光源１１のＬＥＤ１１ａが点灯され、眼底１ａが赤外光で照明される。また、ＷＤ光源９４、ＦＤ光源３０が点灯され、検者は眼底像をモニタ４１で観察しながら眼底アライメント、フォーカス調整が行われる。
【００３９】
眼底アライメントとフォーカス調節が終了すると生体検査が開始される。生体検査では、液晶パネル４３ａが点灯され、液晶パネル４３ａからの背景光が撮影絞り３１を介して被検眼前眼部（瞳）１ｂから眼底１ａに照射される。また、刺激光光源５１が点灯され、刺激光光源５１からの刺激光が同様に撮影絞り３１を介して前眼部１ｂから眼底１ａに投影される。背景光で照明されている被検眼の網膜はこの刺激光により局所的に光刺激され、網膜から生体電気信号が発生する。
【００４０】
刺激光光源５１からの刺激光は、上述したように、投影光軸２６‘に垂直なｘｙ平面内でその位置を変化させることができ、また指標円板６０によりそのスポットサイズを変更することができる。また、刺激光の光量、それに背景光の光量は、制御部８０に設けたロータリースイッチなどで設定された光量に調節される。この生体検査のとき、フォーカスドット光はモニタの邪魔になるのでＦＤ光源３０は消灯されるが、その他の光源１１、９４、それに固視視標４３ｃは点灯されたままである。
【００４１】
ＥＲＧ電極８６からの生体電気信号は制御コンピュータ８０に入力され、そこで網膜電位図が作成され、表示装置８１に表示されたり、記録装置８２に格納される。
【００４２】
局所ＥＲＧ検査において、背景光は刺激光の散乱光の影響をキャンセルする働きをするので、投影される刺激光を中心にしてより広い範囲、すなわち眼底全視野を均一に照明するのがよい。上述した実施例では、背景光は、被検眼前眼部１ｂと共役な位置に配置された撮影絞り３１を介して前眼部１ｂに入射し、前眼部（瞳）１ｂを中心にして四方に広がるような形で眼底に照射され、刺激光の照射位置を中心に背景光の照射領域が広範囲に設定される。したがって、眼底全体を均一に照明することができ、刺激光による散乱光の影響をキャンセルして正確な局所ＥＲＧ検査を行うことができる。
【００４３】
また、照明光源１１からの眼底照明光（眼底観察光）は、被検眼前眼部１ｂと共役な位置に配置されたリングスリット１６を介して瞳孔部周辺部から眼底に照射されるので、被検眼の瞳孔径が小さい場合、眼底照明光はケラレが生じて照明光量が変動する。しかし、眼底照明光は赤外光なので、ＥＲＧ測定には何ら影響がでない。一方、背景光と刺激光は瞳孔の中心部を介して眼底に照射されるので、瞳孔径が多少小さくなってもケラレが生じることはなく、それぞれの光量を瞳孔径に因らず一定に保つことができ、信頼性の高い局所ＥＲＧ検査を行うことが可能となる。
【実施例２】
【００４４】
図４には、背景光光源を刺激光光源ユニット内に配置し、背景光光源からの背景光を観察／投影光学系を介して眼底に照射する実施例が図示されている。図１と同一部分には同じ参照符号が付されており、その詳細な説明は省略する。
【００４５】
実施例２では、背景光を発光する背景光光源７２が刺激光光源ユニット５０内に配置される。また、可視光発光ダイオードで構成された内部固視灯４３’が固視視標４３ｃの機能を果たす液晶板４３に代えて眼底共役位置に配置される。
【００４６】
背景光光源７２は、図５に示したように、可視光発光ダイオード７２ａをリング板７２ｂの周囲に複数等間隔に配置して構成されており、リング板７２は、指標円板６０の回転を妨げないように、その中心を投影光軸２６’に合わせて刺激光光源ユニット５０の筐体に取り付けられる。このとき、背景光光源７２は、レバー５７による刺激光光源５１の移動と共に投影光軸２６’に垂直なｘｙ面内で移動するように取り付けられる。
【００４７】
実施例２では、実施例１の視野絞り３５に対応する視野絞り７３は、図６（ａ）、（ｂ）に示したように、矩形の遮光板７３ａに円形の空洞部７３ｂを形成し、該空洞部７３ｂに透明な径ｄのガラス板７３ｃを嵌め込んだ開口絞りとして構成されており、ガラス板７３ｃの外周部には赤外カット可視透過膜７３ｄが蒸着される。このように構成された視野絞り７３はその中心を観察光軸２６に合わせて眼底共役位置に配置される。
【００４８】
図４の構成では、局所ＥＲＧ検査において、背景光は背景光光源７２から投光され、変倍レンズ４７ａを通過してハーフミラー３６、３４で反射される。ハーフミラー３４で反射された背景光は、実施例１と同様に、結像レンズ３３、フォーカスレンズ３２、撮影絞り３１、対物レンズ２２を介して被検眼前眼部１ｂに入射しそこから眼底１ａに照射される。
【００４９】
図４の構成でも、背景光は撮影絞り３１を介して眼底に照射されるので、眼底全体を均一に照明して刺激光による散乱光の影響をキャンセルして正確な局所ＥＲＧ検査を行うことができるとともに、背景光、刺激光の光量は瞳孔径に因らず一定に保つことができ、信頼性の高い局所ＥＲＧ検査を行うことが可能になり、実施例１と同様な効果がえられる。
【００５０】
実施例２では、背景光が視野絞り７３を通過するので、有効開口径ｄ（図６（ａ））を、実施例１の視野絞り３５よりも大きくして背景光の照明範囲を大きくできる。しかし、視野絞りの開口径を大きくすると、眼底観察時、眼底からの赤外観察光が、開口径が大きくなった分迷光として撮像装置４０に入射して眼底観察を妨げてしまう恐れがある。したがって、図６に示したように、視野絞りの開口周辺部に赤外カット可視透過膜７３ｄを形成するようにしている。この蒸着膜７３ｄにより、眼底から入射する赤外光をカットして迷光が撮像装置４０に混入してしまうのを低減しつつ、背景光光源７２からの背景光は眼底に向けて透過させ広範囲に眼底に導くようにすることが可能になる。
【００５１】
また、実施例２では、背景光光源７２からの背景光は、可視光なので、ハーフミラー３６を透過してミラー９１、レンズ９４’、プリズム９２、ハーフミラー９３、ミラー３８、レンズ３７を介して撮像装置４０に入射するので、モニタ４１により背景光を観察できる、という利点が得られる。この場合、背景光が眼底観察の邪魔になるのを防止するために、撮像装置４０の感度を赤外領域で高く、可視領域で低くするようにする。あるいは、図４で一点鎖線で示したように、撮像装置４０の前に可視光を減光するフィルタ７４を配置するようにしてもよい。
【００５２】
また、背景光が眼底に拡散して照射させるために、背景光光源７２は眼底共役位置Ｒからずらして配置される。更に、拡散性を高めるために、背景光光源７２の前にリング状の拡散板（不図示）を配置するようにしてもよい。
【実施例３】
【００５３】
実施例２の構成では、背景光光源７２からの背景光がハーフミラー３６を透過して撮像装置４０に入射し、モニタ４１により背景光を観察できる、という利点がある反面、背景光が眼底観察を妨げてしまう、という欠点も有している。そこで、背景光光源７２からの背景光が撮像装置４０に入射するのを防止する構成が、実施例３として図７に図示されている。図７において、図１、図４と同一部分には同じ参照符号が付されており、その詳細な説明は省略する。
【００５４】
実施例３では、図１、図４のハーフミラー３６に代わり、図８に示したような可視光を反射し赤外光を透過するダイクロイックミラー３６’が用いられる。視野絞り７３を通過してくる眼底像、ＷＤ光源９４の被検眼反射光、ＦＤ光源３０の被検眼反射光はいずれも赤外光なので、図８でＭ１で示したように、ダイクロイックミラー３６’を透過して撮像装置４０に入射する。また、背景光光源７２、刺激光光源からの可視光は、Ｍ２で示したように、ダイクロイックミラー３６’で反射して視野絞り７３を通過して眼底に照射される。この反射、透過特性は、図１、図４のハーフミラー３６と同様である。しかし、ダイクロイックミラー３６’は、可視光は透過しないので、背景光光源７２からの可視光はダイクロイックミラー３６’を透過して撮像装置４０には入射せず、背景光が眼底観察を邪魔してしまうという欠点を解消することができる。
【００５５】
その一方で、刺激光光源からの刺激光も可視光なので、ダイクロイックミラー３６’を透過できず、撮像装置４０に入射しなくなる。従って、検者は、投影指標（刺激光）が照射される位置、そのサイズをモニタ４１を介して観察できなくなる。そこで、図７の構成では、可視光と赤外光を発光する刺激光光源５１’を使用する。これにより、図８でＭ３で示したように、刺激光の赤外成分がダイクロイックミラー３６’を透過して撮像装置４０に入射し、図１、図４の構成と同様に、刺激光が照射される位置、そのサイズをモニタ４１を介して観察できるようになる。刺激光の可視成分は、上記のごとく、ダイクロイックミラー３６’で反射されて眼底に導かれる。
【実施例４】
【００５６】
図９は、図１の構成において液晶板４３に代えて、図１０に示したような、多数の可視光発光ダイオード１００ａを配列した発光パネル１００を背景光光源として眼底共役位置に配置した実施例を示す。図９において、図１と同一部分には同じ参照符号が付されており、その詳細な説明は省略する。
【００５７】
図１０において、発光パネル１００は、縦横に等間隔に可視光発光ダイオードを配列したパネルで、図で網点で表示した発光ダイオード１００ａは背景光光源として使用され、白点で表示した発光ダイオード１００ｂは固視灯として使用され、発光パネル１００は、その中心を光軸２６に合わせてハーフミラー３４の背後の眼底共役位置に配置される。
【００５８】
発光ダイオード１００ａの点灯はコンピュータ８０により、刺激光光源５１の移動と連動して制御する。刺激光光源５１は、レバー５７により投影光軸２６’に垂直なｘｙ面内で移動するので、レバー５７の位置をセンサ（不図示）で検知し、その位置をコンピュータ８０に入力する。コンピュータ８０はレバー５７の位置、つまり刺激光光源５１のｘｙ面内のｘｙ座標に応じて、該ｘｙ座標に対応するｘｙ位置付近にある一つあるいは複数の発光ダイオード１００ａを点灯する。このような構成により、刺激光光源の移動と共に背景光光源も移動する連動機構が得られ、刺激光の照射位置を中心に背景光の照射領域を設定できることから、より信頼性の高い局所ＥＲＧ検査が可能となる。
【００５９】
また、背景光光源を刺激光光源の移動と連動させなくても、図１で説明したように、十分な背景光照射効果が得られるので、コンピュータ８０に切り換えスイッチ（不図示）を設け、上記連動機構による連動状態と、連動機構を不能にして非連動状態とする切り換えを行うようにしてもよい。非連動状態に切り換わった場合は、コンピュータ８０は発光パネル１００の中心近傍に位置する一つあるいは複数の発光ダイオード１００ａを点灯する。
【００６０】
また、発光ダイオード１００ａを２つのグループに分け、一つのグループに属する発光ダイオード（第１の光源）は、刺激光光源の移動と連動するように構成し（つまり、刺激光光源５１の位置に応じて発光ダイオードが点灯する）、他のグループに属する発光ダイオード（第２の光源）はその位置が固定されるように（刺激光光源５１の位置に応じては点灯しない）してもよい。
【００６１】
また、アライメントや合焦操作のときは、発光ダイオード１００ｂのいずれかが点灯され、検者は被検者にこの点灯した発光ダイオードを注視させることによりアライメントや合焦操作を確実にすることができる。
【００６２】
このとき、固視位置によって、眼底の刺激光及び／又は背景光位置を変えるのが好ましいので、背景光光源と刺激光光源との連動/非連動を、内部固視灯位置に応じて自動的に切り換えるようにしてもよい。
【００６３】
また、刺激光のサイズによって、背景光光源と刺激光光源との連動/非連動を自動的に切り換えるようにしてもよい。
【符号の説明】
【００６４】
１０  光刺激部本体
１１  照明光源
１６  リングスリット
２２  対物レンズ
３０  ＦＤ光源
３１  撮影絞り
３５  視野絞り
４０  撮像装置
４２  前眼部観察レンズ
４３  液晶板（背景光光源、内部固視灯）
４３’内部固視灯
５０  刺激光光源ユニット
５１  刺激光光源
６０  指標円板
６５  前眼部照明光源
７２  背景光光源
７３  視野絞り
８６  ＥＲＧ電極
９４  ＷＤ光源
１００  発光パネル（背景光光源、内部固視灯）
【図１】
2010240177.tif 000003
【図２】
2010240177.tif 000004
【図３】
2010240177.tif 000005
【図４】
2010240177.tif 000006
【図５】
2010240177.tif 000007
【図６】
2010240177.tif 000008
【図７】
2010240177.tif 000009
【図８】
2010240177.tif 000010
【図９】
2010240177.tif 000011
【図１０】
2010240177.tif 000012